(57)【特許請求の範囲】
【請求項１】
ビット区間の中央部で低レベルから高レベルに遷移し，あるいは高レベルから低レベルに遷移する信号状態を論理“１”または“０”とし，ビットの全区間で低レベルが連続し，あるいは高レベルが連続する信号状態を前記論理“１”または“０”に対応して論理“０”または“１”とするビット列のデータを復号するデータ復号方法であって，
前記ビット列の信号の立ち上がりエッジから次の立ち上がりエッジまでの期間を第１の時間幅として測定し，
前記ビット列の信号の立下りエッジから次の立下りエッジまでの期間を第２の時間幅として測定し，
前記ビット列における判定対象のビットにおける前記測定された第１の時間幅と前記第２の時間幅の組み合わせに基づき，前記判定対象のビットの論理“０”または“１”を判定する
ことを特徴とするデータ復号方法。
【請求項２】
請求項１において，
前記判定対象のビットにおける前記第１の時間幅と前記第２の時間幅の組合せが、二次元面上の判定面のどこに存在するかに基づいて前記判定対象のビットの論理を判定することを特徴とするデータ復号方法。
【請求項３】
請求項１において，
前記第１の時間幅をＸ，前記第２の時間幅をＹとし，所定の時間幅をＴとし，
前記判定対象のビットの判定の際に，前記判定対象のビットの直前のビットが，ビット区間の中央部でレベルが遷移する信号状態であると判定されたとき，
二次元面上Ｙ＝−Ｘ＋５Ｔで区分される二つの判定面のいずれに，前記測定された第１の時間幅及び第２の時間幅の組み合わせが存在するかを判断し，
さらに，前記直前のビットが，ビット全区間で同じレベルが連続する信号状態であるとして判定されたとき，
二次元面上Ｙ＝−Ｘ＋６Ｔで区分される二つの判定面のいずれに，前記測定された第１の時間幅及び第２の時間幅の組み合わせが存在するかを判断して前記判定対象のビットの論理を判定する
ことを特徴とするデータ復号方法。
【請求項４】
請求項３において，
前記所定の時間幅は，前記ビット列の信号に先立つプリアンブルとして挿入された固定データ列のパルス幅に基づき得られることを特徴とするデータ復号方法。
【請求項５】
請求項３において，
前記第１の時間幅Ｘ及び前記第２の時間幅Ｙの関係が，前記Ｙ＝−Ｘ＋５Ｔで区分される二つの判定面及び，前記Ｙ＝−Ｘ＋６Ｔで区分される二つの判定面において，さらにＸ，Ｙの組み合わせにより符号誤りと判定する領域を設定することを特徴とするデータ復号方法。
【請求項６】
ビット区間の中央部で低レベルから高レベルに遷移し，あるいは高レベルから低レベルに遷移する信号状態を論理“１”または“０”とし，ビットの全区間で低レベルが連続し，あるいは高レベルが連続する信号状態を前記論理“１”または“０”に対応して論理“０”または“１”とするビット列のデータを復号するデータ復号装置であって，
前記ビット列の信号の立ち上がりエッジから次の立ち上がりエッジまでの期間を第１の時間幅として測定する第１の幅測定部と，
前記ビット列の信号の立下りエッジから次の立下りエッジまでの期間を第２の時間幅として測定する第２の幅測定部と，
前記ビット列における判定対象のビットにおける前記測定された第１の時間幅と前記第２の時間幅の組み合わせに基づき，前記判定対象のビットの論理“０”または“１”を判定する判定部を
有して構成されることを特徴とするデータ復号装置。
【請求項７】
請求項６において，
前記判定部は、前記判定対象のビットにおける前記第１の時間幅と前記第２の時間幅の組合せが、二次元面上の判定面のどこに存在するかに基づいて前記判定対象のビットの論理を判定することを特徴とするデータ復号装置。
【請求項８】
請求項６において，
さらに，前記ビット列の信号に先立つプリアンブルとして挿入された固定データ列のパルス幅を測定して，基準の時間幅を生成する基準幅測定部と，
前記判定部における前記判定対象のビットの直前のビットに対する判定結果の論理“０”または“１”に対応して，それぞれ前記第２の時間幅をＹ，前記基準の時間幅をＴとして，
式（１）Ｙ＝−Ｘ＋５Ｔまたは，式（２）Ｙ＝−Ｘ＋６Ｔ  を計算する判定面計算部を有し，
前記判定部は，前記判定面計算部で計算される式（１）または式（２）で区切られる二つの判定面のいずれに前記第１の時間幅と前記第２の時間幅との組み合わせがあるかに基づき，前記判定対象のビットの論理“０”または“１”を判定する
ことを特徴とするデータ復号装置。
【請求項９】
請求項８において，
前記判定部は，前記第１の時間幅Ｘ及び前記第２の時間幅Ｙの関係が，前記Ｙ＝−Ｘ＋５Ｔで区分される二つの判定面及び，前記Ｙ＝−Ｘ＋６Ｔで区分される二つの判定面において，さらにＸ，Ｙの組み合わせにより符号誤りと判定する領域を有することを特徴とするデータ復号装置。
【発明の詳細な説明】
【技術分野】
【０００１】
本発明は、データ復号方法及び，これを適用するデータ復号装置に関する。特に，無線周波識別（ＲＦ／ＩＤ）応答器(transponder)より送られた信号受信に適したＲＦ／ＩＤ送受信器（interrogator）におけるデータ復号方法及び，これを適用するデータ復号装置に関する。  
【背景技術】
【０００２】
自動的にデータ識別を行う技術分野において，物体に関するデータを識別する手段として，物体にＲＦ／ＩＤ応答器（あるいは，ＲＦ／ＩＤタグと呼ばれる）を付し，ＲＦ／ＩＤ応答器から送られる応答信号を受信するＲＦ／ＩＤシステムの普及が顕著に成りつつある。【０００３】
かかるＲＦ／ＩＤシステムの一例として特許文献１に示される発明が知られている。特許文献１に示される発明は，データ信号をオーバーサンプリングしてデータ復号の確率を高めることに特徴を有している。【０００４】
ここで，ＲＦ／ＩＤ応答器からＲＦ／ＩＤ送受信器側に送られる信号フォーマットとして、例えばＩＳＯ１８０００−６では図１に示すように１６ビット長のプリアンブル期間後に，データが続くように構成されている。【０００５】
さらにデータを表すパターンとしてＩＳＯ１８０００−６においては図２に示すように規定されている。図２Ａに示されるように，ＦＭ０符号化のパターンとして“１”，“０”の論理をデューティ５０％のクロック信号を基本とし，データ論理“０”のとき，前半がＨレベルで後半がＬレベルの場合，あるいは，前半がＬレベルで後半がＨレベルの場合とする。またデータ“１”に対しては，クロック信号の１００％の期間Ｌ，又はＨレベルとする。【０００６】
図２Ｂは，ＦＭ１の符号化パターンであり，データ論理“０”，“１”がＦＭ０と逆の関係にある場合である。【０００７】
かかるＦＭ０（又はＦＭ１）の符号化パターンから論理“０”又は“１”を復号する方法として，ＦＭ０を例にすると，従来の方法では，ＦＭ０の直流成分を除き，その立ち上がりエッジから立下りエッジまでの時間幅または、立下りエッジから立ち上がりエッジまでの時間幅が基準時間幅より長い場合には“１”、基準時間幅より短い幅が２回連続した場合には“０”としてデータの復号化を行っている。
【特許文献１】米国特許６，５０１，８０７号公報
【発明の開示】
【発明が解決しようとする課題】
【０００８】
ここで，ＲＦ／ＩＤ応答器固有の特性あるいは，環境温度等に起因して上記ＦＭ０のデータの復号化において，波形のデューティ（Duty）がずれていることがある。このようなデューティのずれた受信波形を復号化する場合に，上記従来の方法では，立ち上がりエッジから立下りエッジまでの時間幅または、立下りエッジから立ち上がりエッジまでの時間幅が変動し，基準時間幅との比較がとれなくなる。これにより，歪みの大きい波形信号を復号化する場合は，正常にデータの復号化できないという問題がある。【０００９】
したがって，本発明の目的は，受信波形のデューティずれの影響を受けずに復号化することを可能とするデータ復号方法及び，これを適用するデータ復号装置を提供することにある。
【課題を解決するための手段】
【００１０】
上記の目的を達成する本発明の第１の側面は、ビット区間の中央部で低レベルから高レベルに遷移し，あるいは高レベルから低レベルに遷移する信号状態を論理“１”または“０”とし，ビットの全区間で低レベルが連続し，あるいは高レベルが連続する信号状態を前記論理“１”または“０”に対応して論理“０”または“１”とするビット列のデータを復号するデータ復号方法であって，前記ビット列の信号の立ち上がりエッジから次の立ち上がりエッジまでの期間を第１の時間幅として測定し，前記ビット列の信号の立下りエッジから次の立下りエッジまでの期間を第２の時間幅として測定し，前記ビット列における判定対象のビットにおける前記測定された第１の時間幅と前記第２の時間幅の組み合わせに基づき，前記判定対象のビットの論理“０”または“１”を判定することを特徴とする。
【００１１】
本発明において，前記判定対象のビットにおける前記第１の時間幅と前記第２の時間幅の組合せが、二次元面上に射影される判定面のどこに存在するかに基づいて前記判定対象のビットの論理を判定することができる。【００１２】
前記判定対象のビットの直前のビットの判定の際に，前記直前のビットが，ビット区間の中央部でレベルが遷移する信号状態であるとして判定されたとき，所定の時間幅を基準とし，前記測定された第１の時間幅と第２の時間幅が同じで，且つ前記基準とする時間幅の２倍であるとき，前記直前のビットの論理判定と同じに判定し，前記測定された第１の時間幅と第２の時間幅のそれぞれが前記基準とする時間幅の３倍以上であるとき，前記直前のビットの論理と逆の倫理であると判定し，さらに，前記判定対象のビットの直前のビットの判定の際に，前記直前のビットが，ビット全区間で同じレベルが連続する信号状態であるとして判定されたとき，所定の時間幅を基準とし，前記測定された第１の時間幅と第２の時間幅の一方が前記基準とする時間幅の２倍であるとき，前記直前のビットの論理判定と逆の論理であると判定し，前記測定された第１の時間幅と第２の時間幅のそれぞれが前記基準とする時間幅の３倍以上であるとき，前記直前のビットの論理と同じ倫理であると判定するように構成できる。【００１３】
また，前記所定の時間幅は，前記ビット列のデータ信号に先立つプリアンブルとして挿入された固定データ列のパルス幅に基づき得られる。【００１４】
さらに，前記第１の時間幅をＸ，前記第２の時間幅をＹとし，所定の時間幅をＴとし，前記判定対象のビットの直前のビットの判定の際に，前記判定対象のビットの直前のビットが，ビット区間の中央部でレベルが遷移する信号状態であるとして判定されたとき，
二次元面上Ｙ＝−Ｘ＋５Ｔで区分される二つの判定面のいずれに，前記測定された第１の時間幅及び第２の時間幅の組み合わせが存在するかを判断し，さらに，前記直前のビットが，ビット全区間で同じレベルが連続する信号状態であるとして判定されたとき，二次元面上Ｙ＝−Ｘ＋６Ｔで区分される二つの判定面のいずれに，前記測定された第１の時間幅及び第２の時間幅の組み合わせが存在するかを判断して前記判定対象のビットの論理を判定するように構成できる。【００１５】
さらにまた，上記において，前記第１の時間幅Ｘ及び前記第２の時間幅Ｙの関係が，前記Ｙ＝−Ｘ＋５Ｔで区分される二つの判定面及び，前記Ｙ＝−Ｘ＋６Ｔで区分される二つの判定面において，さらにＸ，Ｙの組み合わせにより符号誤りと判定する領域を設定してもよい。【００１６】
本発明の特徴は，以下に図面に従い説明される発明を実施するための最良の形態から更に明らかになる。
【発明の効果】
【００１７】
本発明において，立ち上がりエッジから立ち上がりエッジの時間幅と、立下りエッジから立下りエッジの時間幅の２つの値の組み合わせにより復号化を行うことで、受信波形のデューティずれの影響を受けずに復号化することが可能となる。また、第１の幅(立ち上がりエッジ同士の幅あるいは，立下りエッジ同士の幅)をＸ、第２の幅（立下りエッジ同士の幅あるいは，立ち上がりエッジ同士の幅）をＹとした二次元座標面上において、判定面を形成することで，受信波形に歪みがある場合でも信頼度の高いデータ特に，ＦＭ０（ＦＭ１）信号の復号化が可能となる。
【図面の簡単な説明】
【００１８】
【図１】図１は，ＲＦ／ＩＤ応答器からＲＦ／ＩＤ送受信器側に送られるプリアンブルパターンの例である。
【００１９】
【図２】図２は，ＩＳＯ１８０００−６に規定されるデータを表すＦＭ１，ＦＭ０符号パターンを示す図である。
【００２０】
【図３】図３は，本発明に従うデータ復号方法及びデータ復号装置が適用されるＲＦ／ＩＤ送受信装置（ＲＦ／ＩＤリーダ・ライタ）の基本構成例を示す図である。
【００２１】
【図４】図４は，ＦＭ０復号器５４に入力される信号例を示す図である。
【００２２】
【図５】図５は，本発明に従う受信部５のＦＭ０復号器５４の構成例ブロック図である。
【００２３】
【図６】図６は，図５に示すＦＭ０復号器５４の処理フロー図である。
【００２４】
【図７】図７は，ＦＭ０符号のときのビット列において，判定部５０５から判定面判定部５０３に送られる判定対象のビットに対し直前のビットの判定結果が論理“０”である場合のデユーティずれの例を示す図である。
【００２５】
【図８】図８は，式Ｙ＝−Ｘ＋５Ｔで区分される二つの判定面を示す図である。
【００２６】
【図９】図９は，ＦＭ０符号のときのビット列において，判定部５０５から判定面判定部５０３に送られる判定対象のビットに対し直前のビットの判定結果が論理“１”である場合のデユーティずれの例を示す図である。
【００２７】
【図１０】図１０は，式Ｙ＝−Ｘ＋６Ｔで区分される二つの判定面を示す図である。
【００２８】
【図１１】図１１は，図８に対して，符号誤り領域を設定する例を示す図である。
【００２９】
【図１２】図１２は，図１０に対して，符号誤り領域を設定する例を示す図である。
【符号の説明】
【００３０】
１  ＭＰＵ
２  送信部
３  局部発信部
４  送受共用アンテナ
５  受信部
５４  ＦＭ０復号化部
５００  第１幅計測部
５０１  第２幅計測部
５０２  基準幅計測部
５０３  判定面判定部
５０４  判定面計算部
５０５  判定部
【発明を実施するための最良の形態】
【００３１】
以下に図面に従い本発明の実施の形態例を説明する。なお，以下に説明する実施の形態例は，本発明の理解のために示されるものであり，本発明の技術的範囲がこれに限定されるものではない。【００３２】
図３は，本発明に従うデータ復号方法及びデータ復号装置が適用されるＲＦ／ＩＤ送受信装置（ＲＦ／ＩＤリーダ・ライタ）の基本構成例を示す図である。【００３３】
共通の制御部としてマイクロプロセッサ（ＭＰＵ）１を有し，ＭＰＵ１は，ＲＦ／ＩＤ応答器に対し問い合わせの送信信号を送出する際，図示しない上位装置からデータを受信し，送信部２のマンチェスター符号化部２０に送る。【００３４】
マンチェスター符号化部２０では，ビット区間の中央で高レベルから低レベルに変化し，反対に低レベルから高レベルに変化して論理“０”，“１”を表す符号化を行う。ついで，ＡＭ変調部２１でマンチェスター符号化された信号の高レベル及び低レベルの深さを調整する。さらに，ＡＭ変調部２１の出力は，フィルタ２２でフィルタ処理され変調器２３に送られる。【００３５】
変調器２３は，マンチェスター符号化された信号で局部発振器３からのキャリア信号を変調する。変調器２３からの変調されたキャリア信号は，電力増幅器２４で電力増幅されて送受共用アンテナ４から放射される。【００３６】
送受共用アンテナ４から放射されたキャリア信号は，対応する図示しないＲＦ／ＩＤ応答器で受信される。そしてＲＦ／ＩＤ応答器は，受信キャリア信号をＦＭ０符号で変調し，応答信号としてＲＦ／ＩＤ送受信器側に返送する。【００３７】
送受共用アンテナ４はこの返送される応答信号を受信し，受信部５のアンプ５０に入力する。アンプ５０で増幅された応答信号は，復調器５１で復調され，ベースバンド信号に変換される。ついで，フィルタ５２を通してＡＭ復調器５３に入力される。ＡＭ復調器５３で，直流成分を除去し，その出力がＦＭ０復号器５４に入力される。【００３８】
いま，ＦＭ０復号器５４に入力される信号が，例えば，図４に示すごとくであると想定する。【００３９】
図４において，（Ａ）は，ビット区間の中央部で低（Ｌ）レベルから高（Ｈ）レベルに変化するあるいは，ビット区間の中央部でＨレベルからＬレベルに変化する場合を論理“０”，ビット区間中にＨレベルあるいはＬレベルが連続する場合を論理“１”として表される符号列“００１０１１０００１００”を表している正常なＦＭ０信号列である。【００４０】
これに対し，（Ｂ）は，デューティがずれた状態を示している。かかるデューティのずれは，先に説明したように，ＲＦ／ＩＤ応答器固有の特性あるいは，環境温度等に起因して生じているものである。【００４１】
ここで，かかるＦＭ０信号列の復調において，従来方法では，立下りエッジから立ち上がりエッジまでの時間幅Ｔａまたは、立ち上がりエッジから立下りエッジまでの時間幅Ｔｂのみを基準時間幅との比較に用いている。【００４２】
このとき，例えば立下りエッジから立ち上がりエッジまでの時間幅Ｔａを単独で用いる場合，デューティのずれにより“１”の幅が狭くなったのか，“０”の幅が広くなったのかを判別することができない。結局，かかる従来の方法では歪みの大きい波形を復号化する場合に正常に復号化できないという問題がある。したがって，本発明は，かかる不都合を解決するものである。【００４３】
図５は，本発明に従う受信部５のＦＭ０復号器５４の構成例ブロック図である。また，図６は，図５に示すＦＭ０復号器５４の処理フロー図である。なお，ＦＭ１符号化信号でも同様である。【００４４】
本発明に従うＦＭ０復号器５４において，ＦＭ０信号列を受信すると，第１幅計測部５００と，第２幅計測部５０１，更に基準幅計測部５０２に入力する。【００４５】
第１幅計測部５００は，図４に示す信号列において，立ち上がりエッジから次の立ち上がりエッジまでの時間を第１の時間幅ＴＡとして求め（ステップＳ１：図６），第２幅計測部５００は，図４に示す信号列において，立ち下がりエッジから次の立ち下がりエッジまでの時間を第２の時間幅ＴＢとして求め（ステップＳ２），それぞれ求めた第１，第２の時間幅ＴＡ，ＴＢを判定部５０５に送る。【００４６】
基準幅計測部５０２は，図１に示したＲＦ／ＩＤ応答器からＲＦ／ＩＤ送受信器側に返送される信号フォーマットのプリアンブルを受信し，同一の信号波形の繰り返しからビット区間の１／２の時間幅を求め，これを基準時間幅Ｔとして判定面判定部５０３に入力する。【００４７】
判定面判定部５０３には，更に判定部５０５から判定対象のビットに対し直前のビットの判定結果を入力する。【００４８】
判定面判定部５０３は，判定部５０５から送られる判定対象のビットに対し直前のビットの判定結果の論理が“０”であるか“１”であるかにより，判定面計算部５０４に対し，次の関係式（１），（２）のいずれを計算させるかの指示を送る。【００４９】
（１）Ｙ＝−Ｘ＋５Ｔ
（２）Ｙ＝―Ｘ＋６Ｔ
ここで，上記関係式（１），（２）の意義について説明する。【００５０】
図７は，ＦＭ０符号のときのビット列において，判定部５０５から判定面判定部５０３に送られる判定対象のビットに対し直前のビットの判定結果が論理“０”である場合のデユーティずれの例を示している。【００５１】
ビット列における低レベルから次の低レベルに遷移する期間を第１の時間幅Ｘと定義し，更に高レベルから次の高レベルに遷移する期間を第２の時間幅Ｙと定義する。【００５２】
このとき，図７において，（Ａ）に示すデユーティずれの状態では第１の時間幅Ｘと第２の時間幅Ｙは基準の時間幅Ｔに対し同じに２倍である。かかる条件のときは，直前のビットの判定結果が論理“０”と同じ論理であると判定することができる。【００５３】
図７において，（Ｂ）に示すデユーティずれの状態では第１の時間幅と第２の時間幅は同じであるが，基準時間幅Ｔに対し３倍の時間幅を有している。この場合は，判断対象のビットの論理は“１”と判定できる。【００５４】
さらに，図７において，（Ｃ）は，（Ｂ）と判断対象のビットの論理は“１”で同じであるが，判断対象のビットに続くビットの論理が“１”の場合である。したがって，第１の時間幅は基準時間幅Ｔに対し３倍の時間幅を有しているが，一方，第２の時間幅は基準時間幅Ｔに対し４倍の時間幅を有している。【００５５】
かかる関係をまとめると，前記判定対象のビットの直前のビットが，ビット区間の中央部でレベルが遷移する信号状態であるとして判定されているとき（ＦＭ０符号では論理“０”），所定の時間幅Ｔを基準とし，前記第１の時間幅と第２の時間幅が同じで，且つ前記基準とする時間幅Ｔの２倍であるとき（図７，（Ａ）），前記直前のビットの論理判定と同じ（ＦＭ０符号では論理“０”）に判定する。また，前記第１の時間幅と第２の時間幅のそれぞれが前記基準とする時間幅Ｔの３倍以上であるとき，前記直前のビットの論理と逆の論理であると判定する（図７，（Ｂ），（Ｃ）：ＦＭ０符号では論理“１”）。【００５６】
但し、第１の時間幅Ｘおよび第２の時間幅Ｙは、伝送路の雑音等により上記のような整数値をとるとは限らないので、領域による判定が必要となる。【００５７】
上記の関係において，第１の時間幅をＸ，第２の時間幅をＹとし，Ｘ，Ｙの関係を二次元平面に表すと，判定対象ビットの取りうる論理は，図８に示すように，上記（１）の式Ｙ＝−Ｘ＋５Ｔで区分される二つの判定面のいずれかにある。【００５８】
すなわち，図８に示す二次元平面において，式Ｙ＝−Ｘ＋５Ｔで区分される二つの判定面の下側の判定面（論理“０”）に上記図７の（Ａ）の状態の第１の時間幅と第２の時間幅の組み合わせ（２，２）があり，上側の判定面（論理“１”）に上記図７の（Ｂ）の状態の第１の時間幅と第２の時間幅の組み合わせ（３，３）と，（Ｃ）の状態の第１の時間幅と第２の時間幅の組み合わせ（３，４）がある。【００５９】
一方，図９は，ＦＭ０符号のときのビット列において，判定部５０５から判定面判定部５０３に送られる判定対象のビットに対し直前のビットの判定結果が論理“１”である場合のデユーティずれの例を示している。【００６０】
図９において，（Ａ）に示すデユーティずれの状態では第１の時間幅は基準時間幅Ｔに対し３倍であり，第２の時間幅は基準時間幅Ｔに対し２倍である。かかる条件のときは，直前のビットの判定結果の論理“０”と逆の論理“１”に判定することができる。【００６１】
図９において，（Ｂ）に示すデユーティずれの状態では（Ａ）の状態と同様に，第２の時間幅が基準時間幅Ｔに対し３倍であり，第１の時間幅は更に大きい状態である。かかる状態は，判定対象ビットは，直前のビットの判定結果の論理“０”と同じ論理に判定することができる。【００６２】
さらに，図９において，（Ｃ）は，（Ｂ）と判断対象のビットの論理は“１”で同じであるが，判断対象のビットに続くビットの論理が“１”の場合である。したがって，第１の時間幅は基準時間幅Ｔに対し４倍の時間幅を有し，第２の時間幅も基準時間幅Ｔに対し４倍の時間幅を有している。【００６３】
かかる関係をまとめると，前記判定対象のビットの直前のビットが，１ビットの全区間で同じレベルが連続する信号状態であるとして判定されているとき（ＦＭ０符号では論理“１”），所定の時間幅Ｔを基準とし，前記第１の時間幅より第２の時間幅が小さく，
且つ前記第１の時間幅が基準とする時間幅Ｔの３倍であるとき（図９，（Ａ）），前記直前のビットの論理判定と逆の論理（ＦＭ０符号では論理“０”）に判定する。【００６４】
また，前記第１の時間幅と第２の時間幅のそれぞれが前記基準とする時間幅Ｔの３倍以上であるとき，前記直前のビットの論理と同じ論理であると判定する（図９，（Ｂ），（Ｃ）：ＦＭ０符号では論理“１”）。【００６５】
図９においても図７の場合と同様に、第１の時間幅Ｘおよび第２の時間幅Ｙは、伝送路の雑音等により上記のような整数値をとるとは限らないので、領域による判定が必要となる。【００６６】
上記の関係において，図８に示したように，第１の時間幅をＸ，第２の時間幅をＹとし，Ｘ，Ｙの関係を二次元平面に表すと，判定対象ビットの取りうる論理は，図１０に示すように，上記（２）の式Ｙ＝−Ｘ＋６Ｔで区分される二つの判定面のいずれかにある。【００６７】
すなわち，図１０に示す二次元平面において，式Ｙ＝−Ｘ＋６Ｔで区分される二つの判定面の下側の判定面（論理“０”）に上記図９の（Ａ）の状態の第１の時間幅と第２の時間幅の組み合わせ（３，２）があり，上側の判定面（論理“１”）に上記図９の（Ｂ）の状態の第１の時間幅と第２の時間幅の組み合わせ（４，３）と，（Ｃ）の状態の第１の時間幅と第２の時間幅の組み合わせ（４，４）がある。【００６８】
図５に戻り，判定面計算部５０４は，判定面判定部５０３からの図８または図１０のいずれの判定面を使用するかを指示される。すなわち，ＦＭ０符号化の場合，判定部５０５からの直前のビットに対する判定論理出力が，論理“０”であれば，式（１）を採用する旨の通知を判定面判定部５０３から判定面計算部５０４に送る（ステップＳ３，Ｙｅｓ）。反対に，判定部５０５からの直前のビットに対する判定論理出力が，論理“１”であれば，式（２）を採用する旨の通知を判定面判定部５０３から判定面計算部５０４に送る（ステップＳ３，Ｎｏ）。【００６９】
また，判定面計算部５０４は，（１）式または，式（２）のいずれかの通知と，基準時間幅Ｔの通知を受け，式（１）または（２）を計算により求め（ステップＳ４，Ｓ５），式（１）Ｙ＝−Ｘ＋５Ｔまたは，式（２）Ｙ＝−Ｘ＋６Ｔで区分される二つの判定面における第１の時間幅Ｘ及び，第２の時間幅Ｙの組み合わせデータを生成し，判定部５０５に送る。【００７０】
ついで，判定部５０５は，第１幅計測部５００からビット列の信号の低レベルから次の低レベルに遷移する第１の時間幅Ｘを入力し，第２幅計測部５０１からビット列の信号の高レベルから次の高レベルに遷移する第２の時間幅Ｙを入力する。【００７１】
したがって，判定部５０５は，入力された第１の時間幅Ｘと第２の時間幅Ｙの組み合わせと，判定面計算部５０４からの前記二つの判定面における第１の時間幅Ｘ及び，第２の時間幅Ｙの組み合わせデータと比較し，図８に示す式Ｙ＝−Ｘ＋５Ｔで区分される二つの判定面のいずれにあるか，または図１０に示す式Ｙ＝−Ｘ＋６Ｔで区分される二つの判定面のいずれにあるかを判定して，該当の判定対象ビットの論理“０”または“１”を出力する（ステップＳ５）。【００７２】
ここで，図８，図１０において，それぞれ式Ｙ＝−Ｘ＋５Ｔで区分される二つの判定面及び，式Ｙ＝−Ｘ＋６Ｔで区分される二つの判定面において，第１の時間幅Ｘ及び，第２の時間幅Ｙの組み合わせが複数個存在するが，その内，実際正常な信号に対し，デューティの所定以上の大きなずれを生じている場合には，符号誤りとして判定することが好ましい。【００７３】
図１１，図１２は，それぞれ図８，図１０に対して，符号誤り領域を設定する例である。すなわち，図１１において，第１の時間幅Ｘと第２の時間幅Ｙの組み合わせが、式Ｙ＜Ｘ−３Ｔ及び，式Ｙ＞Ｘ＋３Ｔで示される領域にあるときは，判定部５０５は符号誤りと判定する。【００７４】
同様に図１２において，第１の時間幅Ｘと第２の時間幅Ｙの組み合わせが、式Ｙ＜Ｘ−４Ｔ及び，式Ｙ＞Ｘ＋２Ｔで示される領域にあるときは，判定部５０５は符号誤りと判定する。【００７５】
ここで，図８，１０，１１，１２では第１の幅、第２の幅が正規化された整数として示されているが，実際には第１、第２の幅共に正規化せず、小数点を含む実数として演算する。したがって，上記説明で幅Ｘ，Ｙは整数の組み合わせとして説明しているが、Ｘ，Ｙの組み合わせは無限の組み合わせとなる。【００７６】
また，本発明の本質として，先に図８，図１０に示したような，判定対象ビットに先立つ前ビットの論理が０，１で判定面を分ける必要はなく，第１の幅と第２の幅を二次元平面上で任意の判定面で領域判定する，即ち，論理０，１を区切ることができれば，いずれでも良い。第１の幅と第２の幅を二次元平面上に写影して論理０，１を区切る判定面で領域判定してビット論理を判定することができる。
【産業上の利用可能性】
【００７７】
以上図面に従って説明したように，本発明は，上がりエッジから立ち上がりエッジの時間幅と、立下りエッジから立下りエッジの時間幅の２つの値の組み合わせにより復号化を行うことで、デューティずれの大きい受信信号であっても正しく複合化が可能であり，ＲＦ／ＩＤシステムの信頼化に貢献できるものである。
【図１】
0004593621.tif 000002
【図２】
0004593621.tif 000003
【図３】
0004593621.tif 000004
【図４】
0004593621.tif 000005
【図５】
0004593621.tif 000006
【図６】
0004593621.tif 000007
【図７】
0004593621.tif 000008
【図８】
0004593621.tif 000009
【図９】
0004593621.tif 000010
【図１０】
0004593621.tif 000011
【図１１】
0004593621.tif 000012
【図１２】
0004593621.tif 000013